(57)【要約】【課題】  フード外壁部の左右側端部およびその近傍に内側部分よりも大きく外側下方へ傾斜する側端傾斜面部を備えたデザインの自動車について、上方から外力が作用した場合のフードの左右側端部の下方への移動可能スペースをより大きく確保できるようにする。【解決手段】  エンジンルーム上方を覆うフード３０の外壁部３１の側端部近傍に車体前後方向へ延びる所定角度の折曲部３４が設けられ、該折曲部の外側に大きく外側下方へ傾斜する側端傾斜面部３５が形成されており、フード内壁部３２の前記側端傾斜面部に略対応する部分に、上方からの外力に対する脆弱部３３が設けられ、フードの側端部及び／又はその近傍に上方から所定値以上の外力が作用すると、前記脆弱部が変形して前記フードが所定量下方へ移動することを特徴とする。【選択図】図９
2006219018.tif 000002
【特許請求の範囲】
【請求項１】
外壁部と内壁部とを有し車体前部のエンジンルームの上方を覆うフードと、外壁部と内壁部とを有し前記エンジンルームの側方に位置するフロントフェンダと、該フロントフェンダの前記内壁部の下端部が上部に固定されるフードリッジとを備え、前記フードが閉じられた状態で当該フードの側端部が前記フロントフェンダの内壁部の上方に位置するように構成された自動車の前部車体構造であって、
フード外壁部の側端部近傍に、車体前後方向へ延びる所定角度の折曲部が設けられ、
該折曲部の外側には、内側部分よりも大きく外側下方へ傾斜する側端傾斜面部が形成されており、
フード内壁部の前記側端傾斜面部に略対応する部分に、上方からの外力に対する脆弱部が設けられ、
前記フードの側端部及び／又はその近傍に上方から所定値以上の外力が作用すると、前記脆弱部が変形して前記フードが所定量下方へ移動する、
ことを特徴とする自動車の前部車体構造。
【請求項２】
前記フード内壁部の前記折曲部に対応する部分に上方へ湾曲する湾曲部が設けられており、該湾曲部によって前記折曲部の内側部分と外側部分とで前記フードの断面高さが変化することで、前記脆弱部が形成されている、
ことを特徴とする請求項１記載の自動車の前部車体構造。
【請求項３】
前記フード内壁部は、フード外壁部の側端部との間でヘム部を形成する外端部と、該外端部の内側から略水平に延びる水平面部と、該水平面部の内端から前記フード外壁部の側端傾斜面部に略沿って前記湾曲部まで延びる傾斜面部とを備えていることを特徴とする請求項２記載の自動車の前部車体構造。
【請求項４】
フロントフェンダ内壁部が下方に向かうに連れて内方へ傾斜する傾斜面部を備え、前記フード外端部と対向するフロントフェンダ内壁部の上部に、前記フード外端部との間に所定の間隙を設ける弾性部材が配設されていることを特徴とする請求項１〜３の何れか一に記載の自動車の前部車体構造。
【発明の詳細な説明】
【技術分野】
【０００１】
この発明は、自動車の前部車体構造、より詳しく言えば、エンジンルームの上方を覆うフードの側端部及び／又はその近傍に上方から所定値以上の外力が作用すると、当該フードが所定量下方へ移動するように構成した自動車の前部車体構造に関する。
【背景技術】
【０００２】
周知のように、自動車の車体前部のエンジンルームは、その上方がフード（所謂ボンネット）で覆われ、また、その側方には外壁部と内壁部とを有するフロントフェンダが位置しており、該フロントフェンダの内壁部の下端部は所謂フードリッジ（例えばサスタワー）の上部に締結固定されている。前記フードは、一般に外壁部と内壁部とを有し、閉じられた状態で当該フードの側端部が前記フロントフェンダの内壁の上方に位置するように構成されている。
【０００３】
ところで、走行中の自動車が歩行者と接触した場合、その勢いで歩行者がフード上に跳ね上げられ該フード上に落下することがある。このような場合、フード上に跳ね上げられた歩行者の身体（特に頭部）のダメージをできるだけ緩和するためには、跳ねられた歩行者がフード上に落下する際に該フードから受ける衝撃力を効果的に吸収できるようにすることが望ましい。
【０００４】
このような歩行者との接触や衝突を想定した場合における歩行者保護の観点から、車体前部の構造について種々の工夫がなされており、フードやフロントフェンダに上方から外力が作用した場合に、当該フードやフロントフェンダが下方へ移動するように構成することにより、歩行者が受ける衝撃力を吸収できるようにすることが考えられている。
例えば、特許文献１には、フロントフェンダの縦壁状の内壁部に、下向きの外力に対して変形し易い脆弱部と、フード側端部に下向きの外力が作用した際にフロントフェンダを下方へ変位させるフェンダ下方移動手段とを設けた構成が開示されている。
【特許文献１】特開２０００−１０８８４１号公報
【発明の開示】
【発明が解決しようとする課題】
【０００５】
ところで、近年では、ユーザの好みの多様化に応える車体デザインの一種として、エンジンルームの上方を覆う前記フードの形状について、フード外壁部の左右側端部の近傍に車体前後方向へ延びる所定角度の折曲部を設け、この折曲部の外側に内側部分よりも大きく外側下方へ傾斜する側端傾斜面部を備えたデザインとしたものが考えられている。
【０００６】
しかしながら、フードにこのような側端傾斜面部を設けた場合、上方からの外力が作用した場合には、この側端傾斜面部がより大きく下方外側へ傾斜している分だけ、フードの左右側端部の下方への移動可能スペースが制限されることになり、当該自動車と歩行者との接触や衝突を想定した場合における歩行者保護の観点から好ましくない、という問題がある。
【０００７】
この発明は、かかる技術的課題に鑑みてなされたもので、フード外壁部の左右側端部およびその近傍に内側部分よりも大きく外側下方へ傾斜する側端傾斜面部を備えたデザインの自動車について、上方から外力が作用した場合のフードの左右側端部の下方への移動可能スペースをより大きく確保できるようにすることを、基本的な目的とする。
【課題を解決するための手段】
【０００８】
このため、本願請求項１の発明（第１の発明）に係る自動車の前部車体構造は、外壁部と内壁部とを有し車体前部のエンジンルームの上方を覆うフードと、外壁部と内壁部とを有し前記エンジンルームの側方に位置するフロントフェンダと、該フロントフェンダの前記内壁部の下端部が上部に固定されるフードリッジとを備え、前記フードが閉じられた状態で当該フードの側端部が前記フロントフェンダの内壁部の上方に位置するように構成された自動車の前部車体構造であって、フード外壁部の側端部近傍に、車体前後方向へ延びる所定角度の折曲部が設けられ、該折曲部の外側には、内側部分よりも大きく外側下方へ傾斜する側端傾斜面部が形成されており、フード内壁部の前記側端傾斜面部に略対応する部分に、上方からの外力に対する脆弱部が設けられ、前記フードの側端部及び／又はその近傍に上方から所定値以上の外力が作用すると、前記脆弱部が変形して前記フードが所定量下方へ移動する、ことを特徴としたものである。
【０００９】
また、本願請求項２の発明（第２の発明）は、前記第１の発明において、前記フード内壁部の前記折曲部に対応する部分に上方へ湾曲する湾曲部が設けられており、該湾曲部によって前記折曲部の内側部分と外側部分とで前記フードの断面高さが変化することで、前記脆弱部が形成されている、ことを特徴としたものである。
【００１０】
更に、本願請求項３の発明（第３の発明）は、前記第２の発明において、前記フード内壁部は、フード外壁部の側端部との間でヘム部を形成する外端部と、該外端部の内側から略水平に延びる水平面部と、該水平面部の内端から前記フード外壁部の側端傾斜面部に略沿って前記湾曲部まで延びる傾斜面部とを備えていることを特徴としたものである。
【００１１】
また更に、本願請求項４の発明（第４の発明）は、前記第１〜第３の発明の何れか一において、フロントフェンダ内壁部が下方に向かうに連れて内方へ傾斜する傾斜面部を備え、前記フード外端部と対向するフロントフェンダ内壁部の上部に、前記フード外端部との間に所定の間隙を設ける弾性部材が配設されていることを特徴としたものである。
【発明の効果】
【００１２】
本願の第１の発明によれば、フード内壁部の側端傾斜面部に略対応する部分に上方からの外力に対する脆弱部が設けられ、フードの側端部及び／又はその近傍に上方から所定値以上の外力が作用すると、前記脆弱部が変形してフードが所定量下方へ移動する。従って、フロントフェンダ内壁部やフードリッジの設計に影響を及ぼすことなく、脆弱部が変形する分だけフード側端部の下方への移動量を大きく確保できる。
この結果、フード外壁部の左右側端部およびその近傍に内側部分よりも大きく外側下方へ傾斜する側端傾斜面部を備えたデザインを採用した場合でも、フード上に跳ね上げられた歩行者がフード上に落下する際に該フードから受ける衝撃力を効果的に吸収することができるようになる。すなわち、自動車のデザイン性と、当該自動車の歩行者との接触や衝突を想定した場合における歩行者保護特性の確保とを、両立して実現することができる。
【００１３】
また、本願の第２の発明によれば、前記第１の発明と同様の効果を奏することができる。特に、脆弱部の具体的な構成について、フード内壁部の前記折曲部に対応する部分に上方へ湾曲する湾曲部を設けることで、フード外壁部の前記折曲部の内側部分と外側部分とでフードの断面高さが変化し、これにより前記脆弱部が形成されている。従って、フード全体の剛性低下を招くことなく、比較的簡単な構成で局部的な脆弱部を必要箇所に設けることができる。
【００１４】
更に、本願の第３の発明によれば、前記第２の発明と同様の効果を奏することができる。特に、前記フード内壁部は、より具体的には、該外端部の内側から略水平に延びる水平面部と、該水平面部の内端からフード外壁部の側端傾斜面部に略沿って前記湾曲部まで延びる傾斜面部とを備えている。従って、上方から外力が作用した場合には、フード内壁部の側端部の近傍部分は、フード外壁部の折曲部を支点として、この折曲部が略水平になるまで、外端部が上方へ回動するように変形し易くなっている。これにより、前記脆弱部が十分に変形し前記折曲部が略水平となる前に、フード内壁部の側端部の近傍部分がフロントフェンダ内壁部やフードリッジの上部に先当たりして、下方への移動が阻害されることを、有効に防止できる。
【００１５】
また更に、本願の第４の発明によれば、前記第１〜第３の発明の何れか一と同様の効果を奏することができる。特に、フロントフェンダ内壁部に下方へ向かうに連れて内方へ傾斜する傾斜面部を備えたことにより、上方から外力が作用した場合には、この傾斜面部が外側下方に開かれるように変位し易く、これにより、フード内壁部の側端部の近傍部分がフロントフェンダ内壁部と干渉して下方への移動が阻害されることを軽減できる。
また、フード外端部と対向するフロントフェンダ内壁部の上部に、フード外端部との間に所定の間隙を設ける弾性部材が配設されているので、フロントフェンダ内壁部に前記傾斜面部を設けた場合について、フード閉時に、フード外端部がフロントフェンダの上端よりも下方に位置する所謂オーバランが生じて、車体前部の見映えが損なわれることを有効に防止できる。
【発明を実施するための最良の形態】
【００１６】
以下、本発明の実施形態について添付図面を参照しながら説明する。
図１は本実施形態に係る自動車の車体前部の概略構成を示す分解斜視図、図２は車体前部の側面説明図、図３はエンジンルームの部分斜視図である。
これらの図に示すように、前記自動車の車体前部には、エンジンルーム２の前端に略矩形フレーム状のシュラウドメンバ４が配設され、このシュラウドメンバ４は、車体前部の下部において車体前後方向に延びる左右一対のフロントサイドフレーム５により、側面を支持されている。フロントバンパユニット６（図１参照）は、これらフロントサイドフレーム５及び前記シュラウドメンバ４の前面に組み付けられる。
【００１７】
前記エンジンルーム２は、その左右側面にフロントフェンダ２０が配設され、その上方はフード３０（所謂ボンネット）で開閉可能に覆われている。前記フロントフェンダ２０の上部前側には、ヘッドライトのランプレンズ７が配設されている。尚、本実施形態では、このランプレンズ７は、通常の車両に比してかなり後方へ延びるデザインのものが採用されている。
また、フロントフェンダ２０の内方にはホイールハウスの内板９（ホイールハウスインナ：図２参照）が配設され、該ホイールハウスインナ９の上端側には、フロントサスペンション装置（不図示）を維持するサスタワー１０が位置している。尚、ホイールハウスインナ９の下端側は、前記フロントサイドフレーム５に固定されている。
【００１８】
フード３０の後側には、フロントウインドウガラス３の前端側（下端側）を支持するウインドウメンバ１２が延設されており、このウインドウメンバ１２の下端前側にカウルパネル１３が一体的に設けられている（図３参照）。このカウルパネル１３の上側には、外気取り入れ用のカウルグリル１４（図３では一部のみ図示）が配置されている。尚、前記カウルパネル１３は、エンジンルーム２と車室内とを仕切る鋼板製の縦壁１５（所謂、ダッシュパネル）の上端側に配設されている。
【００１９】
図７は図２のＹ７−Ｙ７線に沿った縦断面説明図、図８は図２のＹ８−Ｙ８線に沿った縦断面説明図、また、図９は図８の要部を拡大して示す断面説明図である。
これらの図から良く分かるように、前記フロントフェンダ２０は、例えば１枚ものの板材で構成された外壁部２１と内壁部２２とを有しており、この内壁部２２の下端側は、所謂フードリッジとしてのサスタワー１０の上面部に、例えばネジ部材（不図示）を用いて固定されている（図８及び図９参照）。そして、フード３０が閉じられた状態では、当該フード３０の側端部がフロントフェンダ内壁部２２の上方に位置するように構成されている。
【００２０】
また、前記フード３０も外壁部３１と内壁部３２とを有している。本実施形態では、車体前部のデザイン性の観点から、フード外壁部３１の側端部近傍に、車体前後方向へ延びる所定角度の折曲部３４が設けられ、該折曲部３４の外側には、内側部分よりも大きく下方へ傾斜する側端傾斜面部３５が形成されている。
但し、フード３０にこのような側端傾斜面部３５を設けた場合、フード３０に（特に、側端部及び／又はその近傍部分に）上方からの外力が作用した場合には、この側端傾斜面部３５がより大きく下方外側へ傾斜している分だけ、フード３０の左右側端部の下方への移動可能なスペースが制限されることになる。
【００２１】
そこで、本実施形態では、フード内壁部３２の前記折曲部３４に対応する部分に、上方へ湾曲する湾曲部３２ｄを設け、該湾曲部３２ｄによって、前記折曲部３４の内側部分と外側部分とで、フード３０の断面形状における高さ（断面高さ）Ｈｃ，Ｈｅが大きく変化するように構成している。このようにフード３０の断面高さＨｃ，Ｈｅが大きく変化する部分３２ｄ及びその近傍では、その周辺部分に比して剛性が低く、フード３０に（特に、側端部及び／又はその近傍部分に）上方からの外力が作用した場合には、脆弱でより変形し易くなっている。すなわち、フード内壁部３２の前記側端傾斜面部３５に略対応する部分に、上方からの外力に対する脆弱部３３が設けられることになる。
【００２２】
従って、フード３０に（特に、側端部及び／又はその近傍部分に）上方からの所定値以上の外力が作用した場合には、前記脆弱部３３が変形してフード３０が所定量下方へ移動することで、フロントフェンダ内壁部３２やサスタワー１０の設計に影響を及ぼすことなく、脆弱部３３が変形する分だけフード側端部の下方への移動量を大きく確保できる。
この結果、フード外壁部３１の左右側端部およびその近傍に内側部分よりも大きく外側下方へ傾斜する側端傾斜面部３５を備えたデザインを採用した場合でも、フード３０上に跳ね上げられた歩行者がフード３０上に落下する際に該フード３０から受ける衝撃力を効果的に吸収することができるようになる。すなわち、自動車のデザイン性と、当該自動車の歩行者との接触や衝突を想定した場合における歩行者保護特性の確保とを、両立して実現することができるのである。
【００２３】
特に、脆弱部３３の具体的な構成としては、フード内壁部３２の前記折曲部３４に対応する部分に上方へ湾曲する湾曲部３２ｄを設けることで、フード外壁部３１の前記折曲部３４の内側部分と外側部分とでフード３０の断面高さＨｃ，Ｈｅを大きく変化させ、これにより脆弱部３３を形成するようにしている。従って、フード３０全体の剛性低下を招くことなく、比較的簡単な構成で、局部的な脆弱部３３を必要箇所に設けることができる。
【００２４】
前記フード内壁部３２は、より詳しく説明すれば、フード３０の底面を示す図５及び図６並びに前述の図９から良く分かるように、前記フード内壁部３２は、フード外壁部３１の側端部との間でヘム部を形成する外端部３２ａと、該外端部３２ａの内側から略水平に延びる水平面部３２ｂ（外側水平面部）と、該外側水平面部３２ｂの内端から前記フード外壁部３１の側端傾斜面部３５に略沿って前記湾曲部３２ｄまで延びる内壁傾斜面部３２ｃとを備えている。尚、前記湾曲部３２ｄの内側には、その内端から略水平に延びる水平面部３２ｅ（内側水平面部）が形成されている。
【００２５】
従って、フード３０に（特に、側端部及び／又はその近傍部分に）上方から外力が作用した場合には、フード内壁部３２の側端部の近傍部分は、フード外壁部３１の折曲部３４を支点として、この折曲部３４が略水平になるまで、外端部が上方へ回動するように変形し易くなっている。
これにより、前記脆弱部３３が十分に変形し折曲部３４が略水平となる前に、フード内壁部３２の側端部の近傍部分がフロントフェンダ内壁部２２やサスタワー１０の上部に先当たりして、下方への移動が阻害されることが有効に防止されている。
【００２６】
また、本実施形態では、図８及び図９から良く分かるように、特にフロントフェンダ２０の比較的後部について、フロントフェンダ内壁部２１に下方へ向かうに連れて内方へ傾斜する内壁傾斜面部２３が設けられている。
一方、図４にも示されるように、フード３０の外端部と対向するフロントフェンダ内壁部２１の上部には、フード３０の外端部との間に所定の間隙を設ける弾性部材として、例えばゴム製のバンプラバー２５が、フロントフェンダ内壁部２２の前記内壁傾斜面部２３に沿うようにして配設されている。
【００２７】
フロントフェンダ内壁部２２の前記内壁傾斜面部２３の内側には、略水平に延びる水平固定部２４が形成されており、この水平固定部２４がサスタワー１０の上面部に固定されている。前記バンプラバー２５は、前記内壁傾斜面部２３に沿った後、更に内方へ延長された延長部２５ｂを備えており、この延長部２５ｂが、フロントフェンダ内壁部２２の前記水平固定部２４に対して、例えばグロメット２６を用いて固定されている。
【００２８】
尚、フロントフェンダ２０の比較的前部については、従来公知のストップラバー２９（図３参照）により、フード３０の外端部とフロントフェンダ内壁部２１との間に所定の間隙が設けられている。
本実施形態の場合、前述のように、ランプレンズ７が通常の車両に比してかなり後方へ延びるデザインとされている関係上、このランプレンズ７に対応した領域では、フロントフェンダ内壁部２２の上部に所要の部品を取り付けるために、取付ブラケット２８が設けられており、前記従来公知のストップラバー２９はこのブラケット２８上に支障なく取り付けることができる。この取付ブラケット２８の上方を覆うために、樹脂製のカバー２７が配設されている。尚、図４は、この樹脂製カバー２７を取り外した状態で、前記バンプラバー２５を示したものである。
【００２９】
この場合、フロントフェンダ内壁部２２に下方へ向かうに連れて内方へ傾斜する内壁傾斜面部２３を備えたことにより、上方から外力が作用した場合には、この内壁傾斜面部２３が外側下方に開かれるように変位し易く、これにより、フード内壁部３２の側端部の近傍部分がフロントフェンダ内壁部２２と干渉して下方への移動が阻害されることを軽減できる。
また、このとき、フード３０の外端部と対向するフロントフェンダ内壁部２２の上部に、フード３０の外端部との間に所定の間隙を設ける弾性部材２５が配設されているので、フロントフェンダ内壁部２２に前述のような内壁傾斜面部２３を設けた場合について、フード３０を閉じた際に、フード３０の外端部がフロントフェンダ２０の上端よりも下方に位置する所謂オーバランが生じて、車体前部の見映えが損なわれることを有効に防止できるのである。
【００３０】
尚、本発明は、以上の実施態様に限定されるものではなく、その要旨を逸脱しない範囲において、種々の変更や改良または設計上の修正等が可能であることは言うまでもない。
【産業上の利用可能性】
【００３１】
本発明は、エンジンルームの上方を覆うフードの側端部及び／又はその近傍に上方から所定値以上の外力が作用すると、当該フードが所定量下方へ移動するように構成した自動車の前部車体構造に関するもので、フード外壁部の左右側端部およびその近傍に内側部分よりも大きく外側下方へ傾斜する側端傾斜面部を備えたデザインの自動車において、上方から外力が作用した場合のフードの左右側端部の下方への移動可能スペースをより大きく確保して、当該自動車の歩行者との接触や衝突を想定した場合における歩行者保護特性の確保と自動車のデザイン性とを両立して実現することができ、特に、乗用車等の自動車の前部車体構造として、有効に利用することができる。
【図面の簡単な説明】
【００３２】
【図１】本発明の実施形態に係る自動車の車体前部の概略構成を示す分解斜視図である。
【図２】前記自動車の車体前部の側面説明図である。
【図３】前記自動車のエンジンルームの部分斜視図である。
【図４】前記実施形態に係るバンプラバーを拡大して示す斜視図である。
【図５】前記自動車のフードの底面説明図である。
【図６】図６の要部を拡大して示す説明図である。
【図７】図２のＹ７−Ｙ７線に沿った縦断面説明図である。
【図８】図２のＹ８−Ｙ８線に沿った縦断面説明図である。
【図９】図８の要部を拡大して示す断面説明図である。
【符号の説明】
【００３３】
２  エンジンルーム
２０  フロントフェンダ
２１  フロントフェンダ外壁部
２２  フロントフェンダ内壁部
２３  （フロントフェンダの）内壁傾斜部
２５  バンプラバー
３０  フード
３１  フード外壁部
３２  フード内壁部
３２ａ  （フード内壁部の）外端部
３２ｂ  （フード内壁部の）外側水平部
３２ｃ  （フード内壁部の）内壁傾斜面部
３２ｄ  （フード内壁部の）湾曲部
３３  脆弱部
３４  折曲部
３５  側端傾斜面部
Ｈｃ，Ｈｅ  フードの断面高さ
【図１】
2006219018.tif 000003
【図２】
2006219018.tif 000004
【図３】
2006219018.tif 000005
【図４】
2006219018.tif 000006
【図５】
2006219018.tif 000007
【図６】
2006219018.tif 000008
【図７】
2006219018.tif 000009
【図８】
2006219018.tif 000010
【図９】
2006219018.tif 000011